(57)【要約】【課題】装置構成を大型化することなく、かつ簡易に、搬送する原稿サイズの誤検出を抑制することができる搬送装置、画像読取装置、及びプログラムを得る。【解決手段】原稿幅検出センサ２９によって、原稿台２２に置かれた原稿の幅を検出し、ＣＰＵによって、上記検出された原稿の幅が２１０ｍｍのＡ４サイズの大きさである場合には原稿の搬送を行い、上記検出された原稿の幅が８．５インチのレターサイズである場合には原稿の搬送を禁止するように原稿搬送部４０を制御する一方、操作パネル１８によって原稿の搬送の禁止を解除された場合は、原稿幅検出センサ２９によって検出された原稿の幅が上記レターサイズである場合でも、原稿の搬送を行うように原稿搬送部４０を制御する。【選択図】図３
2010184785.tif 000002
【特許請求の範囲】
【請求項１】
原稿台に置かれた原稿を搬送する搬送手段と、
前記原稿台に置かれた前記原稿の幅を検出する検出手段と、
前記検出手段によって検出された前記原稿の幅が予め定められた定型の大きさである場合には前記原稿の搬送を行い、前記検出手段によって検出された前記原稿の幅が前記定型の大きさと異なる予め定められた大きさである場合には前記原稿の搬送を禁止するように前記搬送手段を制御する制御手段と、
前記制御手段による前記原稿の搬送の禁止を解除する解除手段と、
を備えた搬送装置。
【請求項２】
前記検出手段を、前記原稿台に置かれた原稿の幅方向に少なくとも一方が移動可能で、前記原稿台に置かれた前記原稿が前記搬送手段によって搬送される際に、原稿を案内する１対の案内手段に設けた請求項１記載の搬送装置。
【請求項３】
報知手段を設け、
前記制御手段が、前記原稿の搬送が行われていること、前記原稿の搬送が禁止されていること、及び前記検出手段によって検出された前記原稿の幅が前記予め定められた定型の大きさであることの少なくとも何れか１つが報知されるように前記報知手段を制御する請求項１又は請求項２記載の搬送装置。
【請求項４】
前記予め定められた定型の大きさは、２１０ｍｍ又は８．５インチである請求項１〜３の何れか１項記載の搬送装置。
【請求項５】
前記解除手段によって前記原稿の搬送の禁止が解除された後に、前記検出手段によって検出された前記原稿の幅が、前記定型の大きさと異なる予め定められた大きさである場合には、前記制御手段は、前記原稿の搬送を禁止せずに搬送が行われるように前記搬送手段を制御する請求項１〜請求項４の何れか１項記載の搬送装置。
【請求項６】
請求項１〜請求項５の何れか１項に記載の搬送装置と、
前記搬送装置によって搬送された原稿に形成されている画像を読み取って、当該画像を示す画像情報を取得する取得手段と、
を備えた画像読取装置。
【請求項７】
原稿台に置かれた原稿を搬送する搬送手段と、前記原稿台に置かれた前記原稿の幅を検出する検出手段と、を備えた搬送装置におけるプログラムであって、
コンピュータを、
前記検出手段によって検出された前記原稿の幅が予め定められた定型の大きさである場合には前記原稿の搬送を行い、前記検出手段によって検出された前記原稿の幅が前記定型の大きさと異なる予め定められた大きさである場合には前記原稿の搬送を禁止するように前記搬送手段を制御する制御手段と、
前記制御手段による前記原稿の搬送の禁止を解除する解除手段と、
して機能させるためのプログラム。
【請求項８】
コンピュータを、請求項１〜請求項５の何れか１項に記載の搬送装置における前記制御手段、及び前記解除手段として機能させるためのプログラム。
【発明の詳細な説明】
【技術分野】
【０００１】
本発明は、搬送装置、画像読取装置、及びプログラムに関する。
【背景技術】
【０００２】
特許文献１には、原稿台上に置かれた多数枚の原稿から原稿を一枚ずつ分離して搬送し、画像読み取り位置で原稿を読み取る画像読み取り装置において、原稿台に設けられた原稿幅及び原稿長さを検知する第１のセンサ、及び原稿を移動させながら原稿長さを検知する第２のセンサを有し、原稿台にＡ４Ｒ原稿（長辺が原稿搬送方向と平行になるＡ４版原稿）又は８．５×１１Ｒ原稿（長辺が原稿搬送方向と平行になる短辺８．５インチ、長辺１１インチ版原稿）が置かれたことを第１のセンサで検知した場合、１枚目の原稿は第二のセンサの信号に基づき、Ａ４Ｒの原稿又は８．５×１１Ｒの原稿のいずれのサイズであるかを確定した後、原稿読み取りを開始し、更に２枚目以後の原稿を上記のように確定した原稿サイズとして原稿読み取りを続行する技術が開示されている。
【先行技術文献】
【特許文献】
【０００３】
【特許文献１】特開２００２−１６５０７２号公報
【発明の概要】
【発明が解決しようとする課題】
【０００４】
本発明は、装置構成を大型化することなく、かつ簡易に、搬送する原稿サイズの誤検出を抑制することができる搬送装置、画像読取装置、及びプログラムを提供することを目的とする。
【課題を解決するための手段】
【０００５】
上記目的を達成するために、請求項１の搬送装置は、原稿台に置かれた原稿を搬送する搬送手段と、前記原稿台に置かれた前記原稿の幅を検出する検出手段と、前記検出手段によって検出された前記原稿の幅が予め定められた定型の大きさである場合には前記原稿の搬送を行い、前記検出手段によって検出された前記原稿の幅が前記定型の大きさと異なる予め定められた大きさである場合には前記原稿の搬送を禁止するように前記搬送手段を制御する制御手段と、前記制御手段による前記原稿の搬送の禁止を解除する解除手段と、を備えている。
【０００６】
また、請求項２に記載の発明は、請求項１に記載の発明において、前記検出手段を、前記原稿台に置かれた原稿の幅方向に少なくとも一方が移動可能で、前記原稿台に置かれた前記原稿が前記搬送手段によって搬送される際に、原稿を案内する１対の案内手段に設けたものである。
【０００７】
また、請求項３に記載の発明は、請求項１又は請求項２に記載の発明において、報知手段を設け、前記制御手段が、前記原稿の搬送が行われていること、前記原稿の搬送が禁止されていること、及び前記検出手段によって検出された前記原稿の幅が前記予め定められた定型の大きさであることの少なくとも何れか１つが報知されるように前記報知手段を制御するものである。
【０００８】
また、請求項４に記載の発明は、請求項１〜請求項３の何れか１項記載の発明において、前記予め定められた定型の大きさを、２１０ｍｍ又は８．５インチとしたものである。
【０００９】
また、請求項５に記載の発明は、請求項１〜請求項４の何れか１項記載の発明において、前記解除手段によって前記原稿の搬送の禁止が解除された後に、前記検出手段によって検出された前記原稿の幅が、前記定型の大きさと異なる予め定められた大きさである場合には、前記制御手段が、前記原稿の搬送を禁止せずに搬送が行われるように前記搬送手段を制御するようにしたものである。
【００１０】
また、請求項６に記載の画像読取装置は、請求項１〜請求項５の何れか１項に記載の搬送装置と、前記搬送装置によって搬送された原稿に形成されている画像を読み取って、当該画像を示す画像情報を取得する取得手段と、を含んで構成したものである。
【００１１】
また、上記目的を達成するために、請求項７に記載の発明は、原稿台に置かれた原稿を搬送する搬送手段と、前記原稿台に置かれた前記原稿の幅を検出する検出手段と、を備えた搬送装置におけるプログラムであって、コンピュータを、前記検出手段によって検出された前記原稿の幅が予め定められた定型の大きさである場合には前記原稿の搬送を行い、前記検出手段によって検出された前記原稿の幅が前記定型の大きさと異なる予め定められた大きさである場合には前記原稿の搬送を禁止するように前記搬送手段を制御する制御手段と、前記制御手段による前記原稿の搬送の禁止を解除する解除手段と、して機能させるためのプログラムである。
【００１２】
さらに、請求項８に記載の発明は、コンピュータを、請求項１〜請求項５の何れか１項に記載の搬送装置における前記制御手段、及び前記解除手段として機能させるためのプログラムである。
【発明の効果】
【００１３】
請求項１，６，７，８に記載の発明によれば、装置構成を大型化することなく、かつ簡易に、搬送する原稿サイズの誤検出を抑制することができる、という優れた効果が得られる。
【００１４】
また、請求項２に記載の発明によれば、本構成を有さない場合に比べ、簡易に、搬送する原稿の幅を検出できる、という優れた効果が得られる。
【００１５】
また、請求項３に記載の発明によれば、ユーザの利便性を向上させることができる、という優れた効果が得られる。
【００１６】
また、請求項４に記載の発明によれば、８．５インチの幅の原稿が２１０ｍｍの幅の原稿として搬送されること、又は２１０ｍｍの幅の原稿が８．５インチの幅の原稿として搬送されることを防ぐことができる、という優れた効果が得られる。
【００１７】
さらに、請求項５に記載の発明によれば、本構成を有さない場合に比べ、ユーザの利便性を向上させることができる、という優れた効果が得られる。
【図面の簡単な説明】
【００１８】
【図１】実施の形態に係る画像処理装置の外観構成図である。
【図２】実施の形態に係る画像処理装置に設けられた原稿台の上面図である。
【図３】実施の形態に係るスキャナ装置の構成図である。
【図４】実施の形態に係る画像処理装置の電気系の要部構成を示すブロック図である。
【図５】実施の形態に係る原稿搬送プログラムの処理の流れを示すフローチャートである。
【図６】実施の形態に係る操作パネルに特定幅の原稿の搬送が禁止されていることを示すメッセージが表示されている状態を示す図である。
【図７】実施の形態に係る操作パネルに原稿の搬送を中止したことを示すメッセージが表示されている状態を示す図である。
【発明を実施するための形態】
【００１９】
以下、図面を参照して、本発明の実施の形態について詳細に説明する。
【００２０】
まず、図１を参照して、本実施の形態に係る画像処理装置１０の外観上の構成を説明する。
【００２１】
同図に示すように、画像処理装置１０は、画像読取装置１２、画像形成装置１４、給紙トレイ１６、及び操作パネル１８を備えている。
【００２２】
画像読取装置１２は、原稿台２２に置かれた原稿を一枚ずつ取り込み、取り込んだ原稿の表面に形成されている画像を読み取って、読み取った画像を示す画像情報を取得した後、原稿を排出トレイ２４に排出する。
【００２３】
本実施の形態に係る原稿台２２には、図２に示すように、原稿台２２に置かれた原稿の幅方向（原稿の搬送方向に直交する方向であり、図２の矢印Ａ方向）に一方が移動可能で、原稿台２２に置かれた原稿が搬送される際に、原稿を案内する１対のガイド２６Ａ，２６Ｂ、及び原稿が原稿台２２に置かれたことを検出する原稿検出センサ２８を備えている。
【００２４】
なお、本実施の形態に係る画像処理装置１０では、ガイド２６Ａが固定されている一方、ガイド２６Ｂが移動可能とされている。
【００２５】
また、ガイド２６Ｂの下側には、原稿の幅を検出するための原稿幅検出センサ２９が備えられている。
【００２６】
本実施の形態に係る原稿幅検出センサ２９は、原稿の幅方向に沿って予め定められた間隔を隔てて配列された複数のフォトカプラ２９Ａを備えており、ガイド２６Ｂが移動することによって、ガイド２６Ｂの下に位置するフォトカプラ２９Ａはオン状態となる一方、ガイド２６Ｂの下に位置しないフォトカプラ２９Ａはオフ状態となる。このように、原稿幅検出センサ２９は、ガイド２６Ｂが原稿台２２に置かれた原稿の幅に応じて移動することにより変化する、各フォトカプラ２９Ａのオン状態及びオフ状態に基づいて、原稿台２２に置かれた原稿の幅を検出する。
【００２７】
また、本実施の形態に係る画像処理装置１０では、原稿検出センサ２８として、原稿台２２に置かれた原稿を、フォトカプラを用いて光学的に検出するセンサを用いるが、フォトカプラに限らず、メカニカル・スイッチ等を用いて機械的に検出するセンサ等、他のセンサを用いてもよい。
【００２８】
さらに、図１に示すように画像読取装置１２の上面には、検出された原稿の幅が予め定められた定型の大きさであることを報知する原稿幅報知部３０が設けられている。
【００２９】
なお、本実施の形態に係る画像処理装置１０では、上記予め定められた定型の大きさとして、Ａ列（Ａ３サイズ、Ａ４サイズ等）、Ｂ列（Ｂ４サイズ、Ｂ５サイズ等）の幅を適用する。すなわち、原稿幅検出センサ２９によって、例えばレターサイズの幅の原稿が検出されたとしても、原稿幅報知部３０は何ら報知しない。
【００３０】
また、本実施の形態に係る画像処理装置１０では、原稿幅報知部３０として、Ａ列及びＢ列の幅の原稿が検出された場合に点灯させるＬＥＤ（Light Emitting Diode）を用いるが、ＬＥＤに限らず、Ａ列及びＢ列の幅の原稿が検出された場合に検出された幅を音声で報知するスピーカを用いてもよいし、タッチパネルディスプレイ３４を原稿幅報知部３０としても用い、Ａ列及びＢ列の幅の原稿が検出された場合に検出された幅を表示してもよい。
【００３１】
一方、画像形成装置１４は、給紙トレイ１６に収容されている記録用紙を取り出し、取り出した記録用紙に、画像読取装置１２で取得した画像情報等に基づいた画像を形成し、画像を形成した記録用紙を排出トレイ３２に排出する。
【００３２】
操作パネル１８は、画像を表示するタッチパネルディスプレイ３４及びスイッチ３６を備え、タッチパネルディスプレイ３４及びスイッチ３６を介して、画像読取装置１２による原稿の読み取り、及び画像形成装置１４による記録用紙への画像の形成等の各種指示がユーザによって入力されると共に、タッチパネルディスプレイ３４に必要事項が表示される。
【００３３】
図３を参照して、本実施の形態に係る画像読取装置１２の構成を説明する。
【００３４】
本実施の形態に係る画像読取装置１２は、原稿台２２に置かれた原稿を搬送する原稿搬送部４０、及び原稿に形成されている画像を読み取り、画像情報として出力する画像読取部４２により構成されている。
【００３５】
上段の原稿搬送部４０は、上述した原稿台２２を上昇および下降させるトレイリフタ４４、トレイリフタ４４により上昇された原稿台２２の原稿の束の最上面に接触して、原稿を一枚ずつ取り込むナジャーローラ４６、及びナジャーローラ４６により取り込まれた原稿を搬送路４８に搬送するフィードローラ５０を備えている。
【００３６】
原稿が搬送される搬送路４８には、原稿をさらに搬送方向下流側（図３の矢印Ｂ方向）に搬送するテイクアウェイローラ５２、原稿を更に下流側に搬送すると共にループ作成を行うプレレジローラ５４、原稿読み取り部に対してレジストレーション調整を施しながら原稿を供給するレジローラ５６、画像が読み取られている原稿の搬送をアシストするプラテンローラ５８、及び画像が読み取られた原稿を更に下流側に搬送するアウトローラ６０を備えている。また、搬送路４８には、搬送される原稿のループ状態に応じて支点を中心として回動するバッフル６２、及びアウトローラ６０よりも原稿の搬送方向下流側に設けられると共に、排出トレイ２４へ原稿を排出する排出ローラ６４を備えている。
【００３７】
また、本実施の形態に係る画像読取装置１２は、プラテンローラ５８とアウトローラ６０との間に、原稿の裏面に形成された画像の読み取りを行う裏面画像読取部６６を備えている。
【００３８】
次に、本実施の形態に係る画像読取装置１２における、原稿の搬送の動作について簡単に説明する。
【００３９】
ナジャーローラ４６は、原稿の搬送を行わない待機時にはリフトアップされて退避位置に保持され、原稿搬送時にニップ位置（原稿搬送位置）へ降下して原稿台２２上の最上位の原稿を搬送する。プレレジローラ５４は、停止しているレジローラ５６に原稿先端を突き当ててループを作成する。このループが形成されると、バッフル６２は支点を中心として開き、原稿のループを妨げることのないように機能している。また、テイクアウェイローラ５２およびプレレジローラ５４は、画像の読み取り中におけるループを保持している。このループ形成によって、画像の読み取りタイミングが調整され、また、画像の読み取り時における原稿搬送に伴うスキューを抑制して、位置合わせの調整機能を高める。そして、画像の読み取りの開始タイミングに合わせて、停止されていたレジローラ５６が回転を開始し、原稿が搬送される。搬送された原稿は、プラテンローラ５８によって、後述する第２プラテンガラス７０Ｂに押圧されて、下面方向から原稿に形成されている画像が読み取られる。
【００４０】
一方、画像読取部４２は、原稿が置かれる透明な第１プラテンガラス７０Ａ、及び原稿搬送部４０によって搬送中の原稿を読み取るための光の開口部を形成する透明な第２プラテンガラス７０Ｂが設けられている。
【００４１】
第１プラテンガラス７０Ａ及び第２プラテンガラス７０Ｂの下側には、原稿の表面に向けて照明光を照射する光源７２と、原稿の表面で反射した反射光を受ける第１反射ミラー７４、第１反射ミラー７４で受けた反射光の進行方向を９０°曲げるための第２反射ミラー７６、及び第２反射ミラー７６で受けた反射光の進行方向をさらに９０°曲げるための第３反射ミラー７８が備えられている。
【００４２】
なお、本実施の形態に係る画像読取装置１２では、光源７２として蛍光ランプを用いるが、これに限らず、原稿の搬送方向と交差する方向に沿って配列された複数のＬＥＤ（Light Emitting Diode）等、他の光源を用いても良い。
【００４３】
さらに、画像読取部４２は、レンズ８０及び画像読取センサ８２を備えており、画像読取部４２は、第３反射ミラー７８で反射された反射光を、レンズ８０によって画像読取センサ８２に結像させることにより、画像読取センサ８２によって原稿に形成された画像を読み取る。
【００４４】
なお、本実施の形態に係る画像読取装置１２では、裏面画像読取部６６及び画像読取センサ８２として複数のＣＣＤ（Charge  Coupled  Device）で構成されるＣＣＤラインセンサを用いるが、ＣＣＤラインセンサに限らず、ＣＭＯＳ（Complementary  Metal-Oxide  Semiconductor）イメージセンサ等の固体撮像素子を用いても良い。
【００４５】
また、本実施の形態に係る画像読取装置１２は、光源７２及び第１反射ミラー７４がキャリッジ８３Ａによって、第２反射ミラー７６及び第３反射ミラー７８がキャリッジ８３Ｂによって図３の矢印Ｃ方向に移動可能とされている。これにより、第１プラテンガラス７０Ａの上面に原稿が置かれた場合に、光源７２から照明光を原稿に向けて照射しつつ、矢印Ｃ方向へ光源７２、第１反射ミラー７４、第２反射ミラー７６、及び第３反射ミラー７８を移動させて上記原稿に記録された画像を読み取る。
【００４６】
図４には、本実施の形態に係る画像処理装置１０の電気系の要部構成が示されている。
【００４７】
画像処理装置１０は、画像処理装置１０全体の動作を司るＣＰＵ（Central Processing Unit）８４、各種プログラムや各種パラメータ、各種テーブル情報等が予め記憶されたＲＯＭ（Read Only Memory）８６、ＣＰＵ８４による各種プログラムの実行時のワークエリア等として用いられるＲＡＭ（Random Access Memory）８８、画像読取装置１２で読み取った画像を示す画像情報、後述する外部インタフェース９６を介して受信した画像情報等の各種情報を記憶するＨＤＤ（Hard Disk Drive）９０を備えている。
【００４８】
さらに、画像処理装置１０は、上述した画像読取装置１２と接続され、画像読取装置１２による光学的な画像の読み取りを制御する画像読取制御部９２、上述した画像形成装置１４と接続され、画像形成装置１４による画像の形成を制御する画像形成制御部９４、及び外部の端末装置と接続され、端末装置との画像情報を含む各種情報の送受信を行う外部インタフェース９６を備えている。
【００４９】
これらＣＰＵ８４、ＲＯＭ８６、ＲＡＭ８８、ＨＤＤ９０、画像読取制御部９２、画像形成制御部９４、外部インタフェース９６、及び上述した操作パネル１８は、システムバス９８を介して相互に電気的に接続されている。従って、ＣＰＵ８４は、ＲＯＭ８６、ＲＡＭ８８及びＨＤＤ９０へのアクセス、操作パネル１８に対する操作状態の把握や各種のメッセージ等の表示、画像読取制御部９２及び画像形成制御部９４の動作の制御、及び外部インタフェース９６を介した上記端末装置との各種情報の送受信等を各々行なうことができる。
【００５０】
なお、本実施の形態に係るＣＰＵ８４は、原稿台２２に置かれた原稿に形成された画像を読み取り、読み取った画像に基づいて記録用紙に画像を形成する処理（以下、「複写処理」という。）を実行する場合は、原稿台２２に置かれた原稿の搬送を開始させる搬送開始信号を画像読取制御部９２に送信する。
【００５１】
ここで、従来、幅８．５インチ（２１５．９ｍｍ）、長さ１１インチ（２７９．４ｍｍ）のレターサイズの原稿が原稿台２２に置かれた場合、レターサイズの原稿が、原稿幅検出センサ２９によってレターサイズの幅と近い幅であるＡ４サイズ（幅２１０ｍｍ、長さ２９７ｍｍ）の原稿として誤検出され、その結果、複写処理によって記録用紙に形成される画像にサイドレジずれ等が生じる場合があった。
【００５２】
そこで、本実施の形態に係る画像処理装置１０では、検出された原稿の幅が定型の大きさと異なる予め定められた大きさ（以下、「特定幅」という。）である場合には、原稿の搬送を禁止する特定幅搬送禁止モードが操作パネル１８を介して設定可能とされている。
【００５３】
なお、本実施の形態に係る画像処理装置１０では、上記特定幅として、レターサイズの幅である８．５インチを適用する。
【００５４】
次に、図５を参照して、本実施の形態に係る画像処理装置１０の作用を説明する。なお、図５は、特定幅搬送禁止モードが設定されている画像処理装置１０に対して電力の供給が開始された場合にＣＰＵ８４によって実行される原稿搬送プログラムの処理の流れを示すフローチャートであり、原稿搬送プログラムは記憶媒体としてのＲＯＭ８６の予め定められた領域に記憶されている。
【００５５】
まず、ステップ１００では、画像読取制御部９２に対して、特定幅であるレターサイズの原稿の搬送を禁止する設定（以下、「特定幅搬送禁止設定」という。）を行う。また、特定幅搬送禁止設定が行われていることを示す特定幅搬送禁止フラグをセットする。
【００５６】
次のステップ１０２では、原稿検出センサ２８によって、原稿台２２に原稿が置かれたことが検出されるまで待ち状態となる。
【００５７】
次のステップ１０４では、操作パネル１８を介してユーザによって原稿の複写を開始する指示が入力されるまで待ち状態となる。
【００５８】
次のステップ１０６では、画像読取制御部９２へ搬送開始指示信号を送信する。
【００５９】
なお、画像読取制御部９２は、搬送開始指示信号を受信すると、原稿幅検出センサ２９によって検出された原稿の幅をＣＰＵ８４に送信する。
【００６０】
また、特定幅搬送禁止設定が設定されている場合、画像読取制御部９２が搬送開始指示信号を受信すると原稿搬送部４０は、原稿幅検出センサ２９で検出された原稿の幅がＡ列の大きさである場合には原稿の搬送を行うように制御され、原稿幅検出センサ２９で検出された原稿の幅が特定幅である場合には原稿の搬送を禁止するように制御される。
【００６１】
なお、本実施の形態に係る画像処理装置１０では、上記原稿の搬送を禁止する制御として、搬送開始指示信号を受信しても原稿台２２に置かれた原稿を搬送するためのナジャーローラ４６の動作を行わない制御を用いるが、これに限らず、フィードローラ５０、テイクアウェイローラ５２等、他のローラの動作も行わない制御を用いてもよい。
【００６２】
次のステップ１０８では、原稿幅検出センサ２９で検出された原稿の幅が特定幅であるか否を判定し、肯定判定となった場合はステップ１１０へ移行し、否定判定となった場合はステップ１２４へ移行する。
【００６３】
ステップ１１０では、特定幅搬送禁止設定が解除されているか否かを判定し、肯定判定となった場合はステップ１２４へ移行し、否定判定となった場合はステップ１１２へ移行する。なお、本実施の形態に係る画像処理装置１０では、特定幅搬送禁止フラグがセットされている場合には否定と判定し、特定幅搬送禁止フラグがリセットされている場合には肯定と判定する。
【００６４】
なお、本実施の形態に係る画像処理装置１０では、特定幅搬送禁止モードであっても、特定幅搬送禁止設定が解除されている場合は、原稿搬送部４０は、画像読取制御部９２が搬送開始指示信号を受信すると、原稿幅検出センサ２９で検出された原稿の幅が特定幅でも原稿の搬送を行うように制御される。
【００６５】
ステップ１１２では、原稿幅検出センサ２９によって特定幅の原稿が検出され、特定幅の原稿の搬送が禁止（停止）されていることを報知する。
【００６６】
本実施の形態に係る画像処理装置１０では、上記報知として、図６に示すように、タッチパネルディスプレイ３４に原稿の搬送が禁止されていることと共に、原稿の幅を８．５インチとして検出したことを示すメッセージを表示するが、これに限らず、図示しないスピーカによって上記報知を行ってもよい。
【００６７】
次のステップ１１４では、ユーザによって原稿の搬送を継続することが指示されたか否かを判定し、肯定判定となった場合はステップ１１６へ移行し、否定判定となった場合はステップ１２０へ移行する。ユーザが原稿の搬送を継続させる場合とは、例えば、ユーザが、原稿台２２に置いた幅８．５インチのレターサイズの原稿を置いた場合である。
【００６８】
なお、本実施の形態に係る画像処理装置１０では、図６に示すタッチパネルディスプレイ３４に表示されている「継続」の画像がユーザによって押圧された場合に肯定と判定するが、これに限らず、継続を指示するための予め定められたスイッチ３６がユーザによって押圧された場合を肯定判定と判定してもよい。
【００６９】
次のステップ１１６では、画像読取制御部９２に対する特定幅搬送禁止設定を解除する。これにより、以降に原稿幅検出センサ２９によって検出された原稿の幅が特定幅である場合には、原稿の搬送を禁止せずに搬送が行われるように原稿搬送部４０が制御される。また、特定幅搬送禁止フラグをリセットする。
【００７０】
次のステップ１１８では、画像読取制御部９２へ搬送開始指示信号を送信し、ステップ１２４へ移行する。画像読取制御部９２は、搬送開始指示信号を受信すると、原稿搬送部４０に原稿台２２に置かれた原稿の搬送を開始させる。
【００７１】
ステップ１２０では、ユーザによって原稿の搬送を中止することが指示されたか否かを判定し、肯定判定となった場合はステップ１２２へ移行し、否定判定となった場合はステップ１１４へ戻る。なお、ユーザが原稿の搬送を中止させる場合とは、例えば、ユーザが、原稿台２２にＡ４サイズの原稿を置いた場合である。
【００７２】
なお、本実施の形態に係る画像処理装置１０では、図６に示すタッチパネルディスプレイ３４に表示されている「中止」の画像がユーザによって押圧された場合に肯定と判定するが、これに限らず、中止を指示する予め定められたスイッチ３６がユーザによって押圧された場合を肯定判定と判定してもよい。
【００７３】
次のステップ１２２では、原稿の搬送を中止したことを報知し、ステップ１２４へ移行する。本実施の形態に係る画像処理装置１０では、上記報知として、図７に示すように、タッチパネルディスプレイ３４に原稿の搬送を中止したことを示すメッセージを表示するが、これに限らず、図示しないスピーカによって上記報知を行ってもよい。
【００７４】
この後、ユーザは、例えば、ユーザが、原稿台２２にＡ４サイズの原稿を置いた場合には、原稿幅報知部３０からの報知を確認しながらガイド２６Ｂを移動させることで、原稿幅検出センサ２９に原稿台２２に置いた原稿の幅がＡ４サイズであることを検出させ、画像処理装置１０に複写処理を再開させる。
【００７５】
ステップ１２４では、画像処理装置１０への電力の供給が停止されたか否かを判定し、肯定判定となった場合は本プログラムを終了し、否定判定となった場合はステップ１０２へ移行する。なお、画像処理装置１０への電力の供給が停止された場合とは、画像処理装置１０の電源スイッチがオフとされた場合、省電力モードへ移行した場合等、画像処理装置１０が非動作状態となった場合である。
【００７６】
以上、本発明を上記実施の形態を用いて説明したが、本発明の技術的範囲は上記実施の形態に記載の範囲には限定されない。発明の要旨を逸脱しない範囲で上記実施の形態に多様な変更または改良を加えることができ、当該変更または改良を加えた形態も本発明の技術的範囲に含まれる。
【００７７】
また、上記実施の形態は、クレーム（請求項）にかかる発明を限定するものではなく、また実施の形態の中で説明されている特徴の組み合わせの全てが発明の解決手段に必須であるとは限らない。前述した実施の形態には種々の段階の発明が含まれており、開示される複数の構成要件における組み合わせにより種々の発明を抽出できる。上記実施の形態に示される全構成要件から幾つかの構成要件が削除されても、効果が得られる限りにおいて、この幾つかの構成要件が削除された構成が発明として抽出され得る。
【００７８】
例えば、上記実施の形態では、予め定められた定型の大きさとしてＡ列及びＢ列の幅を適用し、特定幅としてレターサイズの幅である８．５インチを適用する場合について説明したが、本発明はこれに限定されるものではなく、予め定められた定型の大きさとしてレターサイズの幅を適用し、特定幅としてＡ４サイズの幅を適用する形態としてもよい。
【００７９】
また、上記実施の形態では、ガイド２６Ｂが原稿台２２に置かれた原稿の幅方向に移動可能とされている場合について説明したが、本発明はこれに限定されるものではなく、ガイド２６Ａ，２６Ｂの両方が原稿台２２に置かれた原稿の幅方向に移動可能する形態としてもよい。
【００８０】
また、上記実施の形態では、原稿の搬送が禁止されていることを報知する場合について説明したが、本発明はこれに限定されるものではなく、原稿の搬送を行う場合には、原稿の搬送が行われていることを報知する形態としてもよい。
【００８１】
その他、上記実施の形態で説明した画像処理装置１０の構成（図１乃至図４参照。）は一例であり、本発明の主旨を逸脱しない範囲内において不要な部分を削除したり、新たな部分を追加したりすることができることは言うまでもない。
【００８２】
また、上記実施の形態で説明した原稿搬送プログラムの処理の流れ（図５参照。）も一例であり、本発明の主旨を逸脱しない範囲内において不要なステップを削除したり、新たなステップを追加したり、処理順序を入れ替えたりすることができることは言うまでもない。
【００８３】
また、上記実施の形態に係る原稿搬送プログラムは、ＲＯＭ８６に予め記憶しておく形態の他、ＨＤＤ９０に予め記憶しておく形態、コンピュータ読み取り可能な記憶媒体に格納された状態で提供される形態、有線又は無線による通信手段を介して配信される形態等に適用することができる。
【符号の説明】
【００８４】
１０    画像処理装置
１２    画像読取装置
１８    操作パネル
２２    原稿台
２６Ａ，２６Ｂ    ガイド
２９    原稿幅検出センサ
３０    原稿幅報知部
４０    原稿搬送部
８４    ＣＰＵ
【図１】
2010184785.tif 000003
【図２】
2010184785.tif 000004
【図３】
2010184785.tif 000005
【図４】
2010184785.tif 000006
【図５】
2010184785.tif 000007
【図６】
2010184785.tif 000008
【図７】
2010184785.tif 000009